(57)【特許請求の範囲】
【請求項１】
構造物の床版に予め形成した上下貫通する取付孔に免震装置を挿入し、蓋部材を、前記免震装置に前記構造物の載荷荷重が作用してその反力を当該蓋部材が受けるように、前記取付孔に取り付けることを特徴とする免震装置の施工方法。
【請求項２】
前記取付孔の周囲に複数のボルト孔を開口し、前記蓋部材に挿通されるボルトを前記ボルト孔にねじ込むことで、前記蓋部材を取り付けることを特徴とする請求項１記載の免震装置の施工方法。
【請求項３】
前記取付孔の内周に雌ねじ部を形成するとともに、前記蓋部材の外周に雄ねじ部を形成し、前記蓋部材のねじ込み操作により、前記蓋部材を取り付けることを特徴とする請求項１記載の免震装置の施工方法。
【請求項４】
前取付孔の周囲にこれと連続する一ないし複数対の切欠を形成するとともに、前記蓋部材の周囲に前記切欠に挿通される係止突起を一体に突設し、前記係止突起を切り欠きに一致させた状態で前記蓋部材の前記取付孔内への挿通を可能とし、かつ挿通状態で前記蓋部材の回動により、挿通位置にロックすることを特徴とする請求項１記載の免震装置の施工方法。
【請求項５】
前記蓋部材の中心にピンを摺動自在に挿通し、前記ピンを外力により押圧することで、前記免震装置を押圧し、前記蓋部材と前記免震装置間を一時的に切離すことを特徴とする請求項１乃至４のうちいずれか１項記載の免震装置の施工方法。
【発明の詳細な説明】
【０００１】
【発明の属する技術分野】
本発明は、免震装置の施工方法に関する。
【０００２】
【従来の技術】
免震装置を施工する方法は、二種類ある。その一つは、上部構造物を施工する前に据付ける方法である。またもう一つの方法としては、免震装置の据付け空間を確保した上で上部構造物を施工した後、免震装置を据付ける方法である。
【０００３】
前者の方法では、免震装置上に直接上部構造物を施工するので、偏荷重が生じ、これを防ぐためにサポートおよびジャッキを設けた上で上部構造物を施工する必要がある。
また、後者の方法においては、サポートおよびジャッキにより、上部構造物を持上げ支持した上で免震装置を据付ける方法が一般に行われている。
【０００４】
【発明が解決しようとする課題】
いずれの方法においても、上部構造物あるいは免震装置の施工後は、サポートやジャッキを解体撤去しつつ、上部構造物の水平度を保ちながら順次荷重を免震装置側に移行させなければならないため、工事が大がかりで時間のかかるものとなっていた。加えてサポートおよびジャッキを撤去するための十分な空間がない場合には、作業に困難が伴う。
【０００５】
また、免震装置の点検あるいは交換時においても、サポートおよびジャッキを用いて上部構造物を持上げた状態で点検交換しなければならず、同じく施工の困難性を伴うという課題があった。
【０００６】
本発明は、以上の課題を解決するものであって、その目的は、免震装置の据付けや点検交換時に、上部構造物を支持するためのサポートやジャッキが不要であり、作業性を改良した免震装置の施工方法を提供するものである。
【０００７】
【課題を解決するための手段】
前記目的を達成するため、請求項１記載の発明は、構造物の床版に予め形成した上下貫通する取付孔に免震装置を挿入し、蓋部材を、前記免震装置に前記構造物の載荷荷重が作用してその反力を当該蓋部材が受けるように、前記取付孔に取り付けることを特徴とする。
請求項１記載の発明によれば、床版または基礎版に設けた取付孔への蓋部材の取り付けにより免震装置に構造物の荷重を作用させて免震装置として機能させるため、サポート、ジャッキなどの別の固定手段が不要となる。
【０００８】
また、請求項２記載の発明は、請求項１記載の発明において、前記取付孔の周囲に複数のボルト孔を開口し、前記蓋部材に挿通されるボルトを前記ボルト孔にねじ込むことで、前記蓋部材を取り付けることを特徴とする。
本発明によれば、蓋部材の固定手段としての複数のボルトの軸力によって、免震装置が機能出来る。また、ボルトのねじ込み調整によって、免震装置に加わる荷重調整が可能である。
【０００９】
また、請求項３記載の発明は、請求項１記載の発明において、前記取付孔の内周に雌ねじ部を形成するとともに、前記蓋部材の外周に雄ねじ部を形成し、前記蓋部材のねじ込み操作により、前記蓋部材を取り付けることを特徴とする。
本発明によれば、蓋部材の回転動作のみで蓋部材の脱着が行えるため、作業が簡単となる。
【００１０】
また、請求項４記載の発明は、請求項１記載の発明において、前取付孔の周囲にこれと連続する一ないし複数対の切欠を形成するとともに、前記蓋部材の周囲に前記切欠に挿通される係止突起を一体に突設し、前記係止突起を切り欠きに一致させた状態で前記蓋部材の前記取付孔内への挿通を可能とし、かつ挿通状態で前記蓋部材の回動により、挿通位置にロックすることを特徴とする。
本発明によれば、蓋部材の回動操作のみで蓋部材の脱着を行えるため、さらに作業が簡単かつ短時間となる。
【００１１】
また、請求項５記載の発明は、請求項１乃至４のうちいずれか１項記載の発明において、前記蓋部材の中心にピンを摺動自在に挿通し、前記ピンを外力により押圧することで、前記免震装置を押圧し、前記蓋部材と前記免震装置間を一時的に切離すことを特徴とする。
本発明によれば、蓋部材の脱着に際し、免震装置の荷重が蓋部材に加わることがないため、脱着時の作業力を小さく出来る。
【００１２】
【発明の実施の形態】
以下、本発明の好ましい実施の形態につき、添付図面を参照して詳細に説明する。図１（ａ）〜（ｅ）は本発明の第一実施形態による施工手順を示し、図２、３は図１におけるＡ矢視、Ｂ矢視平面図を示すものである。
【００１３】
本実施形態における施工手順は、先ず図１（ａ）に示すごとく、基礎版コンクリート１の打設養生後、図１（ｂ）に示すごとく基礎版コンクリート１上に上部構造物の床版２を設置する。床版２の適宜位置には逆凸形断面をした免震装置装着用の孔３が形成されている。なお、図においては一カ所のみを図示しているが、実際には免震装置の必要数に応じて床版２の各部に複数箇所形成されている。
【００１４】
そして、この孔３の下部側径小部３ａは、図１（ｃ）に示す免震装置４が入る径であり、また大径部３ｂおよび小径部３ａには、これと同じく断面凸形をした蓋部材５が嵌合される。また、蓋部材５はこれを孔３内に嵌合した状態でその上部は床版２ａの上面より下部位置となる遊び空間３ｃが形成される寸法に設定されている。この遊び空間３ｃについては後述する。なお、免震装置４は上下免震装置および水平免震装置の何れであってもよい。
【００１５】
さらに、小径部３ａの段部周囲には、図２にも示すように、複数のボルト孔６が形成されている。なお、各ボルト孔６はインサートナットなどを構造物床板２に埋設しておくことなどで具現化される。
これに対応して蓋部材５における前記段部と接合するフランジには複数のボルト貫通孔７が上下貫通して形成されている。
【００１６】
次いで、図１（ｃ）に示すように、免震装置４を孔３内に挿通し、蓋部材５により孔３内を蓋した上で、同図（ｄ）および図３に示すようにボルト孔６内にボルト８を順次ねじ込む。
この方法としては、対角線となる各ボルト８を交互にねじ込むことで、各ボルト８に偏荷重を掛けることなく、その軸力により矢印に示すごとく徐々に蓋部材５を下降させることができる。
【００１７】
蓋部材５の下降により、当初自由長状態にあった免震装置４は、圧縮を受けると同時にその反力によって、（ｅ）に矢印で示すように、床版２を持上げ、上部構造物の載荷荷重を各免震装置４によって受けることになる。
【００１８】
なお、前述の遊び空間３ｃは、ボルト８のトルク調整（ねじ込み調整）によって免震装置４に作用する軸力の管理を調整するための空間であって、上部構造の偏在荷重分布に合わせた荷重を各免震装置４に与えることが可能である。
従って、以上の施工方法によれば、施工時および、点検あるいは交換時においてもサポートや、ジャッキが不要であり、施工が容易である。
【００１９】
図４（ａ）〜（ｅ）は本発明の施工方法の第二実施形態を示している。なお、以降の実施形態については、前の実施形態と同一箇所、同一部材には同一符号を付し、異なる箇所、部材にのみ異なる符号を用いて説明する。
【００２０】
この実施形態では、（ａ），（ｂ）に示すように、基礎版コンクリート１上に、柱１０を介して床版２が構築され、床版２上に設備構造物１２が施工され、床版２と設備構造物１２との間を免震装置４を介在させる形式であり、床版２の適宜位置には上下貫通する直円筒形の孔１４が開口され、その周囲に複数のボルト孔６が上下貫通している。
【００２１】
この形式の構造物では、（ｃ）に示すように、基礎版コンクリート１と床版２の間の空間を利用して床版２の下部側から孔１４内に免震装置４を挿入し、次いで（ｄ）に示すように、免震装置４の下部側に蓋板１６を配置し、その周囲を上下に貫通するボルト孔８にボルト６に差込んで順次対角線上に締上げることにより、（ｅ）に示すように、蓋板１６は上昇し、免震装置４の上面が設備構造物１２の底面に当接してこれを持上げ、設備構造物１２を支持する。
【００２２】
本実施形態によれば、サポートとして必要なのは、免震装置を支えるためのサポートのみであり、前記第一実施形態と同様に、大型ジャッキが不要となるとともに、各ボルト６のねじ込み調整により免震装置４に対する荷重を調整することができる。
【００２３】
図５は（ａ）〜（ｄ）は、本発明の第三実施形態を示す。先ず（ａ）において、床版２の適宜位置には、内周に雌ねじ部を形成したネジ孔２０が形成されているとともに、このネジ孔２０には外周に雄ネジ部２２ａを形成した蓋部材２２が着脱可能にねじ込まれ、その下部に配置された免震装置４の反力受けとして機能している。
蓋部材２２の中心にはピン挿通孔２４が上下に貫通して形成され、この挿通孔２４に押圧ピン２６を昇降可能に遊嵌している。
押圧ピン２６は、ダンベル形状をなし、その中間の径小部を挿通孔２４の上下中間位置に形成された小径部に遊嵌することで、蓋部材２２内に保持され、その下部大径部を免震装置４の上面に当接するものである。
【００２４】
同図５は、前記第一、第二実施例とは逆に、（ａ）に示す蓋部材２２によって免震装置４を上から押えた据付け状態から取外すまでの手順を説明するもので、先ず（ｂ）の矢印に示すように、ピン２６を上から押圧して、蓋部材２２に対する免震装置４の押圧力を除去した状態で（ｃ）に示すように、蓋部材２２をねじ込み方向とは逆に回すことで、（ｄ）に示すように、蓋部材２２をおよびピン２６を取外し、免震装置４を自由長状態に復帰させることができる。
また、この状態から（ａ）のセット状態に復帰させるには、前記とは逆の操作を行うことになる。
【００２５】
なお、ピン２６の押圧手段としては油圧ジャッキのようなもの、また蓋部材２２に対する回転操作は専用の回転治具などを用いれば良い。
【００２６】
本実施形態でも、前記第一、第二実施形態と同様な効果があるとともに、ボルトを用いずに蓋部材２２の外周面に設けた雄ネジ部２２ａをねじ込む構成としてあるために、各ボルトの締め具合による偏荷重がなく、一部のボルトに過大な引張荷重が作用する等の不具合を一掃できる。また、ピン２６により、蓋部材２２に対する免震装置４の押圧力を取除いた状態で、据付けおよび取外しできるため、軽い操作力で蓋部材２２の取付、取外し作業が可能であり、作業性に富む。
【００２７】
図６および図７は本発明の第四実施形態を示す。先ず図６は、床版２と蓋板３０との取付関係を示すもので、床版２に形成された孔３２は断面凸形をなすもので、下部大径部には上部にまで貫通する切欠３２ａを１８０°対向位置に形成している。
【００２８】
これに対し、蓋板３０の径は前記孔３２の小径部内径にほぼ一致しているとともに、その下部外周には前記切欠３２ａと一致する一対の係止突起３０ａを１８０°対向して一体に突設している。また、蓋板３０の中心には前記第三実施形態と同様に、押圧ピン２６を遊嵌可能に保持するピン挿通孔２４を上下に貫通形成している。
【００２９】
以上の構成において、先ず図７（ａ）は、蓋板３０の係止突起３０ａが孔３２の下部大径部に係合し、その中心部のピン２６を免震装置４の上面に押しつけ、反力受けとして機能している。
【００３０】
この状態から、蓋板３０を取外すには、（ｂ）に示すように、ピン２６を下方に押圧して免震装置４の押圧力を蓋板３０から除去した状態で、蓋板３０を回動して係止突起３０ａを切欠３２ａに一致させ、次いでピン２６の押圧を徐々に解除することで、（ｃ）に示すように、免震装置４の反発弾性により蓋板３０は、ピン２６とともに上昇し、（ｄ）に示すごとく、蓋板３０をピン２６とともに撤去でき、免震装置は自由長状態に復帰する。
【００３１】
なお、以上の実施形態においては、切欠３２ａおよび係止突起３０ａは１８０°対向の一カ所だけでなく、さらに多くの複数対設けることができる。
【００３２】
本実施形態では、蓋板３０の取付取外しを、蓋板３０を挿入して約半回転させるだけで行えるため、ボルト固定式、あるいはねじ込み固定式に比べて、さらに作業性が良好となる。また、本実施形態では、構造物の荷重を蓋板３０の係止突起３０ａと孔３２の段差面との間の押圧力により受けることになるため、ボルト固定式のように引張荷重が作用することがなく、この点でも取り外し作業性が向上している。
【００３３】
【発明の効果】
以上の説明により明らかなように、本発明による免震装置の後付施工方法にあっては、以下の効果がある。
【００３４】
（１）請求項１記載の発明では、床版に形成した取付孔へ蓋部材を取り付けることにより免震装置に構造物の荷重を作用させて免震装置として機能させるため、サポート、ジャッキなどの別の固定手段が不要で、メンテナンスや、交換なども簡単に行える。
【００３５】
（２）請求項２記載の発明では、蓋部材の取付手段としての複数のボルトの軸力によって、免震装置に構造物の荷重を作用させることができる。また、ボルトのねじ込み調整によって、免震装置に加わる荷重調整が可能である。すなわち、免震する床板の水平精度が要求される場合、ボルトのねじ込み調整によって、その精度確保が可能となる。
【００３６】
（３）請求項３記載の発明では、蓋部材の回転動作のみで蓋部材の脱着が行えるため、作業が簡単となる。また、蓋部材の仕込み調整のみで免震装置に加わる荷重調整が可能となる。
【００３７】
（４）請求項４記載の発明では、蓋部材の回動動作のみで蓋部材の脱着が行えるため、作業が簡単で短時間に行えることになる。
【００３８】
（５）請求項５記載の発明では、蓋部材の脱着に際し、免震装置の荷重が蓋部材に加わることがないため、脱着時の作業力を小さくできる。
【図面の簡単な説明】
【図１】（ａ）〜（ｅ）は本発明の第一実施形態による免震装置の据付け手順を示す断面説明図である。
【図２】図１（ｂ）のＡ矢視平面図である。
【図３】図１（ｅ）のＢ矢視平面図である。
【図４】本発明の第二実施形態による免震装置の据付け手順を示す断面説明図である。
【図５】本発明の第三実施形態による免震装置の取外し手順を示す断面説明図である。
【図６】本発明の第四実施形態における孔と蓋部材との関係を示す一部断面分解斜視図である。
【図７】同第四実施形態における免震装置の取外し手順を示す断面説明図である。
【符号の説明】
２  床版
３，１４，２０，３２  孔（２０  ネジ孔）
４  免震装置
５，１６，２２，３０  蓋部材
６  ボルト孔
８  ボルト
１２  設備構造物
２２ａ  雄ねじ部
２４  ピン挿通孔
２６  押圧ピン
３２ａ  切欠
３０ａ  係止突起
【図１】
0003729070.tif 000002
【図２】
0003729070.tif 000003
【図３】
0003729070.tif 000004
【図４】
0003729070.tif 000005
【図５】
0003729070.tif 000006
【図６】
0003729070.tif 000007
【図７】
0003729070.tif 000008